(57)【要約】【課題】スパイラルカッターで切断した細断屑が収納容器内の中央部に集積する安価な切断装置を提供すること。【解決手段】一方の端側に複数の第一切断刃２Ａを有し、他方の端側に複数の第二切断刃２Ｂを有し、複数の第一切断刃２Ａ間に螺旋状の第一収容凹部６を設け、複数の第二切断刃２Ｂ間に螺旋状の第二収容凹部７を設け、複数の第一収容凹部６を、回転軸１の一方の端側に位置する部位が中間部側に位置する部位より回転軸１の回転方向前側に位置する螺旋形状に形成し、複数の第二収容凹部７を、回転軸１の他方の端側に位置する部位が中間部側に位置する部位より回転軸１の回転方向前側に位置する螺旋状に形成して成るスパイラルカッターＡを備えた切断装置。【選択図】図２
2012125725.tif 000002
【特許請求の範囲】
【請求項１】
回転軸の外周に螺旋状の切断刃を複数並設状態に形成したスパイラルカッターと、このスパイラルカッターと対向状態に配設してスパイラルカッターと共に被切断物を切断する固定カッターと、このスパイラルカッターと固定カッターの下方に配設してスパイラルカッターと固定カッターで切断した被切断物の細断屑が落下収納する収納容器とを備えた切断装置において、前記スパイラルカッターは、前記回転軸の軸長さ方向の中間部から一方の端側に至る範囲で複数並設状態に形成される第一切断刃と、回転軸の中間部から他方の端側に至る範囲で複数並設状態に形成される第二切断刃とを有する構成とし、この複数の第一切断刃間に、この第一切断刃で切断された細断屑が収容される螺旋状の第一収容凹部を設けて、複数の第一切断刃と複数の第一収容凹部とを前記回転軸の軸周り方向に交互に並設状態に設け、前記複数の第二切断刃間に、この第二切断刃で切断された細断屑が収容される螺旋状の第二収容凹部を設けて、複数の第二切断刃と複数の第二収容凹部とを前記回転軸の軸周り方向に交互に並設状態に設け、前記複数の第一切断刃と前記複数の第一収容凹部とは、前記回転軸の一方の端側に位置する部位が中間部側に位置する部位より回転軸の回転方向前側に位置する螺旋形状に形成し、前記複数の第二切断刃と前記複数の第二収容凹部とは、前記回転軸の他方の端側に位置する部位が中間部側に位置する部位より回転軸の回転方向前側に位置する螺旋形状に形成したことを特徴とする切断装置。
【請求項２】
前記スパイラルカッターは、前記回転軸の中間部から一方の端側に至る範囲の外周に、前記複数の第一切断刃を平行な並設状態にして形成すると共に、この複数の第一切断刃を回転軸の外周より外方へ突設して、この複数の第一切断刃間に形成される複数の螺旋状の凹状間隔部を前記第一収容凹部とし、且つ前記回転軸の中間部から他方の端側に至る範囲の外周に、前記複数の第二切断刃を平行な並設状態にして形成すると共に、この複数の第二切断刃を回転軸の外周より外方へ突設して、この複数の第二切断刃間に形成される複数の螺旋状の凹状間隔部を前記第二収容凹部としたことを特徴とする請求項１記載の切断装置。
【請求項３】
前記スパイラルカッターは、前記複数の第一切断刃の前記回転軸中間部側の端部を前記第二収容凹部の回転軸中間部側の端部に隣接状態に設けると共に、前記複数の第二切断刃の前記回転軸中間部側の端部を前記第一収容凹部の回転軸中間部側の端部に隣接状態に設けて、複数の第一切断刃の前記回転軸中間部側の端部と、複数の第二切断刃の前記回転軸中間部側の端部とが、回転軸の中間部でこの回転軸の軸回り方向に間隔を置いて交互に配設する構成としたことを特徴とする請求項１，２のいずれか１項に記載の切断装置。
【請求項４】
前記複数の第一切断刃の前記回転軸中間部側の端部を、前記複数の第二切断刃の回転軸中間部側の端部間に存する前記第二収容凹部の回転軸中間部側の端部に配設し、複数の第二切断刃の回転軸中間部側の端部を、前記複数の第一切断刃の回転軸中間部側の端部間に存する前記第一収容凹部の回転軸中間部側の端部に配設したことを特徴とする請求項３記載の切断装置。
【発明の詳細な説明】
【技術分野】
【０００１】
本発明は、例えばシュレッダなどのスパイラルカッターを用いた切断装置に関するものである。
【背景技術】
【０００２】
シュレッダＳは、投入された書類などの被切断物３をその投入方向に対して縦方向に切断する縦切断装置部10と、この縦切断装置部10で縦切断された被切断物３を横方向に切断する横切断装置部11とを備えたダブルカット細断方式が一般的である（例えば、特許文献１参照。）。
【０００３】
具体的には、図１に示すように装置本体12の上部に被切断物３投入用の投入部13が設けられ、この投入部13の下方に前記縦切断装置部10が設けられ、この縦切断装置部10の下方に前記横切断装置部11が設けられ、この横切断装置部11の下方に被切断物３の細断屑３Ａを収納する箱形の収納容器５が設けられていて、投入部13から被切断物３を投入すると、縦切断装置部10で縦方向に切断された後に横切断装置部11で横方向に切断されて細断屑３Ａが収納容器５に落下するように構成されている。
【０００４】
また、縦切断装置部10は、平行に対向配設する二本の支持軸14に夫々円板状の回転刃15が設けられると共にこの回転刃15が噛合状態に設けられていて、この噛合状態で回転する回転刃15間を被切断物３が通過することで、縦方向に帯状に細断されるように構成されている。
【０００５】
また、横切断装置部11は、回転軸１の外周に複数の螺旋状の刃20が形成されたスパイラルカッターＡ’が回転可能に設けられる（図７参照）と共に、このスパイラルカッターＡ’に対向状態に固定カッター４が設けられていて、この回転するスパイラルカッターＡ’と固定カッター４とに縦方向に細断された帯状の被切断物３が挟み込まれて横方向に切断されるように構成されている。
【先行技術文献】
【特許文献】
【０００６】
【特許文献１】特許第３２３６５９０号公報
【発明の概要】
【発明が解決しようとする課題】
【０００７】
シュレッダＳの横切断装置部11に設けられるスパイラルカッターＡ’は、図７に示すように回転軸１の外周に複数の螺旋状の刃20が突出状態に形成されていて、複数の刃20間には刃20と同様に螺旋状をなした凹状部21が存在している。
【０００８】
そのため、このスパイラルカッターＡ’と前記固定カッターとで横方向に切断された細断屑３Ａは、この複数の刃20間の凹状部21内に一旦収容されるが、この際、回転するスパイラルカッターＡ’のスクリューコンベア作用によりこの凹状部21内で回転軸１の軸長さ方向の一端側へと搬送されつつ下方の収納容器５へ落下することになる。
【０００９】
そして、細断屑３Ａは、このスクリューコンベア（スパイラルカッターＡ’）の搬送先となる収納容器５の端側（回転軸１の一端側の下方）に片寄って集積してこの端側だけが山積みとなり、これが原因で収納容器５の収納容量に達していないにもかかわらず、早い段階で細断屑３Ａの排出詰まりを生じてしまうことが往々にしてあった。
【００１０】
この問題を解消しようと、片寄った細断屑を収納容器内で自動的に均らす機構や、周囲へ散らす機構を備えたシュレッダも従来から実施されてはいるが、このような機構を備えたものは高価であった。
【００１１】
本発明は、このようなスパイラルカッターを用いたシュレッダなどの切断装置の問題点に注目し、これを解決しようとするもので、均し機構や散らし機構を要しない安価な装置構成でありながら、スパイラルカッターで切断した細断屑が収納容器内の中央部に集積する機能を有することで細断屑が収納容器内の周囲へと均一に分散され易くなる画期的な切断装置を提供するものである。
【課題を解決するための手段】
【００１２】
添付図面を参照して本発明の要旨を説明する。
【００１３】
回転軸１の外周に螺旋状の切断刃２を複数並設状態に形成したスパイラルカッターＡと、このスパイラルカッターＡと対向状態に配設してスパイラルカッターＡと共に被切断物３を切断する固定カッター４と、このスパイラルカッターＡと固定カッター４の下方に配設してスパイラルカッターＡと固定カッター４で切断した被切断物３の細断屑３Ａが落下収納する収納容器５とを備えた切断装置Ｓにおいて、前記スパイラルカッターＡは、前記回転軸１の軸長さ方向の中間部から一方の端側に至る範囲で複数並設状態に形成される第一切断刃２Ａと、回転軸１の中間部から他方の端側に至る範囲で複数並設状態に形成される第二切断刃２Ｂとを有する構成とし、この複数の第一切断刃２Ａ間に、この第一切断刃２Ａで切断された細断屑３Ａが収容される螺旋状の第一収容凹部６を設けて、複数の第一切断刃２Ａと複数の第一収容凹部６とを前記回転軸１の軸周り方向に交互に並設状態に設け、前記複数の第二切断刃２Ｂ間に、この第二切断刃２Ｂで切断された細断屑３Ａが収容される螺旋状の第二収容凹部７を設けて、複数の第二切断刃２Ｂと複数の第二収容凹部７とを前記回転軸１の軸周り方向に交互に並設状態に設け、前記複数の第一切断刃２Ａと前記複数の第一収容凹部６とは、前記回転軸１の一方の端側に位置する部位が中間部側に位置する部位より回転軸１の回転方向前側に位置する螺旋形状に形成し、前記複数の第二切断刃２Ｂと前記複数の第二収容凹部７とは、前記回転軸１の他方の端側に位置する部位が中間部側に位置する部位より回転軸１の回転方向前側に位置する螺旋形状に形成したことを特徴とする切断装置に係るものである。
【００１４】
また、前記スパイラルカッターＡは、前記回転軸１の中間部から一方の端側に至る範囲の外周に、前記複数の第一切断刃２Ａを平行な並設状態にして形成すると共に、この複数の第一切断刃２Ａを回転軸１の外周より外方へ突設して、この複数の第一切断刃２Ａ間に形成される複数の螺旋状の凹状間隔部６を前記第一収容凹部６とし、且つ前記回転軸１の中間部から他方の端側に至る範囲の外周に、前記複数の第二切断刃２Ｂを平行な並設状態にして形成すると共に、この複数の第二切断刃２Ｂを回転軸１の外周より外方へ突設して、この複数の第二切断刃２Ｂ間に形成される複数の螺旋状の凹状間隔部７を前記第二収容凹部７としたことを特徴とする請求項１記載の切断装置に係るものである。
【００１５】
また、前記スパイラルカッターＡは、前記複数の第一切断刃２Ａの前記回転軸１中間部側の端部を前記第二収容凹部７の回転軸１中間部側の端部に隣接状態に設けると共に、前記複数の第二切断刃２Ｂの前記回転軸１中間部側の端部を前記第一収容凹部６の回転軸１中間部側の端部に隣接状態に設けて、複数の第一切断刃２Ａの前記回転軸１中間部側の端部と、複数の第二切断刃２Ｂの前記回転軸１中間部側の端部とが、回転軸１の中間部でこの回転軸１の軸回り方向に間隔を置いて交互に配設する構成としたことを特徴とする請求項１，２のいずれか１項に記載の切断装置に係るものである。
【００１６】
また、前記複数の第一切断刃２Ａの前記回転軸１中間部側の端部を、前記複数の第二切断刃２Ｂの回転軸１中間部側の端部間に存する前記第二収容凹部７の回転軸１中間部側の端部に配設し、複数の第二切断刃２Ｂの回転軸１中間部側の端部を、前記複数の第一切断刃２Ａの回転軸１中間部側の端部間に存する前記第一収容凹部６の回転軸１中間部側の端部に配設したことを特徴とする請求項３記載の切断装置に係るものである。
【発明の効果】
【００１７】
本発明は上述のように構成したから、複数の第一切断刃で切断された細断屑と、複数の第二切断刃で切断された細断屑とが、スパイラルカッターの回転軸の中間部側へと移送されて収納容器の中央部に集積することになり、これにより集積する細断屑が自然に崩れて全周囲へと分散され易くなるため、細断屑を均したり散らしたりする機構が不要な安価な装置構成にして排出詰まりを生じにくくなる極めて実用性に優れた切断装置となる。
【００１８】
また、請求項２記載の発明においては、前記作用・効果を確実に発揮するスパイラルカッターを容易に設計実現可能となる一層実用性に優れた切断装置となる。
【００１９】
また、請求項３記載の発明においては、第一切断刃と第二切断刃の夫々の回転軸中間部側の端部と隣接状態にして砥石の逃げスペース（第二収容凹部，第一収容凹部）が確保されるため、第一切断刃のスクイ面や第二切断刃のスクイ面に刃付けや刃研ぎを行う際に、第一切断刃若しくは第二切断刃に沿って回転軸中間部側へと移動させた砥石を、隣接する第二収容凹部若しくは第一収容凹部へと逃がすことが可能となり、これにより誤って反対側に位置する切断刃を研削して傷付けることなく、この作業を容易に行うことができる一層実用性に優れた切断装置となる。
【００２０】
また、請求項４記載の発明においては、第一切断刃と第二切断刃とが確固に連結接合された高強度のスパイラルカッターを実現可能となり、しかも、第一切断刃の回転軸中間部側の端部と第二切断刃の回転軸中間部側の端部とが回転軸の軸回り方向に互いに噛み合うようにして重複しているために、このスパイラルカッターの中間部でも既存のものと同等の切断性能を発揮することになるなど、極めて実用性に優れた切断装置となる。
【図面の簡単な説明】
【００２１】
【図１】実施例１を示す概略説明側断面図である。
【図２】実施例１を示す縦切断装置部を省略した説明正断面図である。
【図３】実施例１のスパイラルカッターを示す斜視図である。
【図４】実施例１のスパイラルカッターの中間部を示す部分拡大正面図である。
【図５】実施例２のスパイラルカッターを示す斜視図である。
【図６】実施例２のスパイラルカッターの中間部を示す部分拡大正面図である。
【図７】従来例を示す縦切断装置部を省略した説明正断面図である。
【発明を実施するための形態】
【００２２】
好適と考える本発明の実施形態を、図面に基づいて本発明の作用を示して簡単に説明する。
【００２３】
本発明の切断装置Ｓは、回転軸１を介して回転するスパイラルカッターＡの螺旋状の切断刃２と、このスパイラルカッターＡと対向状態に配設している固定カッター４とで被切断物３を切断することができ、切断された細断屑３Ａが下方の収納容器５へと落下収納することになる。
【００２４】
更に具体的には、スパイラルカッターＡの回転軸１の軸長さ方向の中間部から一方の端側に至る範囲では、複数の第一切断刃２Ａと固定カッター４とによって被切断物３が切断されてその細断屑３Ａが複数の第一切断刃２Ａ間の複数の第一収容凹部６に収容され、スパイラルカッターＡの回転軸１の軸長さ方向の中間部から他方の端側に至る範囲では、複数の第二切断刃２Ｂと固定カッター４とによって被切断物３が切断されてその細断屑３Ａが複数の第二切断刃２Ｂ間の複数の第二収容凹部７に収容される。
【００２５】
また、この際スパイラルカッターＡの回転により第一収容凹部６と第二収容凹部７にはスクリューコンベア作用が生じており、回転軸１の一方の端側に位置する部位が中間部側に位置する部位より回転軸１の回転方向前側に位置する螺旋形状の第一収容凹部６は、この第一収容凹部６の細断屑３Ａを回転軸１の中間部側へと移送し、回転軸１の他方の端側に位置する部位が中間部側に位置する部位より回転軸１の回転方向前側に位置する螺旋形状の第二収容凹部７は、この第二収容凹部７の細断屑３Ａを回転軸１の中間部側へと移送する。
【００２６】
即ち、複数の第一切断刃２Ａで切断された細断屑３Ａも、複数の第二切断刃２Ｂで切断された細断屑３Ａも、スパイラルカッターＡの回転軸１の中間部側へと移送されつつ下方の収納容器５へ落下収納することになるので、収納容器５では、端側に片寄って細断屑３Ａが集積することなく、中央部に細断屑３Ａが集積していくことになる。
【００２７】
従って、中央部に細断屑３Ａが集積する収納容器５では、中央部の全周囲に細断屑３Ａが分散可能なスペースが生じることになるため、集積する細断屑３Ａが自然に崩れて全周囲へと分散され易くなり、この中央部で細断屑３Ａが高く山積みになりにくく排出詰まりも生じにくくなる。
【００２８】
よって、本発明の切断装置Ｓによれば、細断屑３Ａを均したり散らしたりする機構は不要となり、安価な商品を提供することが可能となる。
【００２９】
また、例えば、前記スパイラルカッターＡは、前記複数の第一切断刃２Ａの前記回転軸１中間部側の端部を前記第二収容凹部７の回転軸１中間部側の端部に隣接状態に設けると共に、前記複数の第二切断刃２Ｂの前記回転軸１中間部側の端部を前記第一収容凹部６の回転軸１中間部側の端部に隣接状態に設けて、複数の第一切断刃２Ａの前記回転軸１中間部側の端部と、複数の第二切断刃２Ｂの前記回転軸１中間部側の端部とを、回転軸１の中間部でこの回転軸１の軸回り方向に間隔を置いて交互に配設すれば、第一切断刃２Ａのスクイ面２Ａ’に砥石を用いて刃付け作業や刃研ぎ作業を行う際に、第一切断刃２Ａに沿って回転軸１中間部側へと移動させた砥石を第二切断刃２Ｂに触れることなく、第二収容凹部７へと移動させてスパイラルカッターＡから離反させることができ、同様にして第二切断刃２Ｂのスクイ面２Ｂ’に砥石を用いて刃付け作業や刃研ぎ作業を行う際に、第二切断刃２Ｂに沿って回転軸１中間部側へと移動させた砥石を第一切断刃２Ａに触れることなく、第一収容凹部６へと移動させてスパイラルカッターＡから離反させることができる。即ち、第一切断刃２Ａのスクイ面２Ａ’への刃付けや刃研ぎに際して、第二切断刃２Ｂを誤って研削してしまうことがなく、また第二切断刃２Ｂのスクイ面２Ｂ’への刃付けや刃研ぎに際して、第一切断刃２Ａを誤って研削してしまうことがない。
【００３０】
また、例えば、前記第一切断刃２Ａの前記回転軸１中間部側の端部を、前記第二収容凹部７の回転軸１中間部側の端部に配設し、前記第二切断刃２Ｂの前記回転軸１中間部側の端部を、前記第一収容凹部６の回転軸１中間部側の端部に配設することによって、第一切断刃２Ａと第二収容凹部７とが確固に連結接合されると共に、第二切断刃２Ｂと第一収容凹部６とが確固に連結接合された高強度のスパイラルカッターＡが制作実現可能となる。また、第一切断刃２Ａと第二切断刃２Ｂとは、その刃縁同士が回転軸１の中間部で連設する構成ではないものの、この第一切断刃２Ａの回転軸１中間部側の端部と第二切断刃２Ｂの回転軸１中間部側の端部とが回転軸１の中間部で回転軸１の軸回り方向に互いに噛み合うようにして重複しているため、スパイラルカッターＡ回転時には回転軸１の軸回り方向に切断刃２が存在しない箇所がなく、このスパイラルカッターＡの中間部では回転軸１の軸回り方向に第一切断刃２Ａの回転軸１中間部側の端部と第二切断刃２Ｂの回転軸１中間部側の端部とが連続的に現れて被切断物３を良好に切断可能となる。
【実施例１】
【００３１】
本発明の具体的な実施例１について図１〜図４に基づいて説明する。
【００３２】
本実施例の切断装置Ｓは、シュレッダＳに適用した場合を示している。尚、背景技術の項の内容と重複する箇所については説明を省略する。
【００３３】
本実施例のシュレッダＳは、装置本体12に、この装置本体12の左右方向と平行に回転軸１を軸支してスパイラルカッターＡを配設すると共に、図１に示すようにこのスパイラルカッターＡの回転軸１を装置本体12の前後方向の中間位置に軸支し、これにより横切断装置部11で切断した細断屑３Ａが、収納容器５の前後方向の中間位置付近に集積されるように構成している。
【００３４】
本実施例の要部であるスパイラルカッターＡは、回転軸１の軸長さ方向の中間部から一方の端側に至る範囲で複数並設状態に形成される第一切断刃２Ａと、回転軸１の中間部から他方の端側に至る範囲で複数並設状態に形成される第二切断刃２Ｂとを有する構成としている。
【００３５】
具体的には、回転軸１に、複数の前記第一切断刃２Ａを有する第一カッター部８と、複数の前記第二切断刃２Ｂを有する第二カッター部９とを並設状態にして被嵌固定した構成としている。
【００３６】
第一カッター部８について説明すると、前記回転軸１に被嵌可能な円筒状体とすると共に、この円筒状体の外周面に、その周方向に等間隔を置いた六箇所から螺旋状の刃板を外方へ向けて一体的に突設して、この六枚の刃板を前記第一切断刃２Ａとしている。
【００３７】
また、この複数の第一切断刃２Ａは、互いに平行な並設状態に突設して、この複数の第一切断刃２Ａ間に第一切断刃２Ａと同調する螺旋形状の凹状間隔部６が形成される構成とし、この複数の凹状間隔部６を第一切断刃２Ａで切断された被切断物３の細断屑３Ａが収容される螺旋状の第一収容凹部６としている。
【００３８】
即ち、第一カッター部８は、その周方向に複数の第一切断刃２Ａと複数の第一収容凹部６とを交互に並設状態に設けた構成としている。
【００３９】
第二カッター部９について説明すると、前記第一カッター部８と同一構造としている。即ち、前記回転軸１に被嵌可能な円筒状体の外周面に、複数（六枚）の第二切断刃２Ｂと、この第二切断刃２Ｂで切断された被切断物３の細断屑３Ａが収容される複数の第二収容凹部７とを交互に並設状態に設けた構成としている。
【００４０】
また、この第一カッター部８と第二カッター部９とは、いずれも回転軸１の軸全長の１／２より小さい筒長を有する構成とし、この第一カッター部８と第二カッター部９の端部同士を突き合わせた並設状態にして回転軸１に被嵌すると共に、回転軸１の両端軸着部が第一カッター部８と第二カッター部９より外方に突き出るようにして第一カッター部８と第二カッター部９とを回転軸１に配置固定した構成としている。
【００４１】
従って、前記回転軸１の軸長さ方向の中間部から一方の端部付近に至る範囲では、複数の第一切断刃２Ａと複数の第一収容凹部６とが回転軸１の軸周り方向に交互に並設し、回転軸１の軸長さ方向の中間部から他方の端部付近に至る範囲では、複数の第二切断刃２Ｂと複数の第二収容凹部７とが回転軸１の軸周り方向に交互に並設する構成のスパイラルカッターＡを構成している。
【００４２】
また、第一カッター部８の前記複数の第一切断刃２Ａと前記複数の第一収容凹部６とは、前記回転軸１の一方の端部側に位置する部位が中間部側に位置する部位より回転軸１の回転方向前側に位置する螺旋形状に形成し、第二カッター部９の前記複数の第二切断刃２Ｂと前記複数の第二収容凹部７とは、前記回転軸１の他方の端部側に位置する部位が中間部側に位置する部位より回転軸１の回転方向前側に位置する螺旋状に形成している。
【００４３】
即ち、第一カッター部８と第二カッター部９とは、螺旋状の第一切断刃２Ａ並びに第一収容凹部６の旋回方向と、螺旋状の第二切断刃２Ｂ並びに第二収容凹部７の旋回方向とが互いに逆方向に旋回する（第一切断刃２Ａと第二切断刃２Ｂとが互いに逆リードの関係となる）構成としている。
【００４４】
また、本実施例のスパイラルカッターＡは、前記複数の第一切断刃２Ａの前記回転軸１中間部側の端部と、前記複数の第二切断刃２Ｂの前記回転軸１中間部側の端部とを、回転軸１の中間部でこの回転軸１の軸回り方向に間隔を置いて交互に配設している。
【００４５】
具体的には、複数の第一切断刃２Ａの前記回転軸１中間部側の端部が前記第二収容凹部７の回転軸１中間部側の端部に隣接した状態となり、複数の第二切断刃２Ｂの回転軸１中間部側の端部が前記第一収容凹部６の回転軸１中間部側の端部に隣接した状態となるように、第一カッター部８と第二カッター部９とを回転軸１に対して軸周り方向に位置をずらして被嵌固定している。
【００４６】
また、複数の第一切断刃２Ａの回転軸１中間部側の端部を、複数の第二切断刃２Ｂの回転軸１中間部側の端部間に存する第二収容凹部７の回転軸１中間部側の端部に配設し、複数の第二切断刃２Ｂの回転軸１中間部側の端部を、複数の第一切断刃２Ａの回転軸１中間部側の端部間に存する前記第一収容凹部６の回転軸１中間部側の端部に配設している。
【００４７】
更に詳しくは、複数の第一切断刃２Ａの回転軸１中間部側の端部を第一カッター部８の突き合わせ側の端部より外方へ延設すると共に、この各第一切断刃２Ａの延設部分の内側面を前記第二収容凹部７の表面（外面）に重合可能な形状に形成している。また、第二切断刃２Ｂの回転軸１中間部側の端部を第二カッター部９の突き合わせ側の端部より外方へ延設すると共に、この第二切断刃２Ｂの延設部分の内側面を前記第一収容凹部６の表面（外面）に重合可能な形状に形成している。
【００４８】
従って、第一カッター部８の突き合わせ側の端部と第二カッター部９の突き合わせ側の端部とを突き合わせて、各第一切断刃２Ａの延設部分を各第二収容凹部７の回転軸１中間部側の端部に配して重合すると共に、各第二切断刃２Ｂの延設部分を各第一収容凹部６の回転軸１中間部側の端部に配して重合すると、第一カッター部８と第二カッター部９とが互いに回転軸１の軸周り方向に強固な回り止め状態で連結される構成としている。
【００４９】
また、この際、第一切断刃２Ａの延設部分（延設刃板）は、その表裏面が第二切断刃２Ｂの回転軸１中間部側の端部と接触することなく間隔を置いた状態で配置すると共に、第二切断刃２Ｂの延設部分（延設刃板）も、その表裏面が第一切断刃２Ａの回転軸１中間部側の端部と接触することなく間隔を置いた状態で配置する構成としている。
【００５０】
従って、これにより第一切断刃２Ａのスクイ面２Ａ’，第二切断刃２Ｂのスクイ面２Ｂ’に砥石を用いて刃付けや刃研ぎを行う際に、第一切断刃２Ａを構成する刃板に沿って回転軸１中間部側へと移動させた砥石を第二切断刃２Ｂに触れることなく、第二収容凹部７へと移動させてスパイラルカッターＡから離反させることができ、同様にして第二切断刃２Ｂを構成する刃板に沿って回転軸１中間部側へと移動させた砥石を第一切断刃２Ａに触れることなく、第一収容凹部６へと移動させてスパイラルカッターＡから離反させることができる構成としている。即ち、第一切断刃２Ａを構成する刃板のスクイ面２Ａ’への刃付けや刃研ぎに際して、第二切断刃２Ｂを誤って削ってしまうことも、第二切断刃２Ｂを構成する刃板のスクイ面２Ｂ’への刃付けや刃研ぎに際して、第一切断刃２Ａを誤って削ってしまうことも防止できて、この作業を容易に行うことができる構成としている。
【００５１】
このような構成のスパイラルカッターＡを採用した本実施例の横切断装置部11の作動を説明すると、縦切断装置部10で縦方向に切断された細帯状の被切断物３が、スパイラルカッターＡの回転軸１の中間部より一方の端部側では、複数の第一切断刃２Ａと固定カッター４とで横方向に切断されると共に、回転軸１の中間部より他方の端部側では、複数の第二切断刃２Ｂと固定カッター４とで横方向に切断される。
【００５２】
そして、複数の第一切断刃２Ａと固定カッター４とで切断された細断屑３Ａは、複数の第一切断刃２Ａ間の複数の第一収容凹部６に一旦収容されるが、この際、第一収納凹部６の形状を回転軸１の一方の端部側に位置する部位が中間部側に位置する部位より回転軸１の回転方向前側に位置する螺旋形状に形成しているために、回転するスパイラルカッターＡのスクリューコンベア作用によりこの第一収容凹部６に収容された細断屑３Ａが回転軸１の中間部側へと移送されることになる。
【００５３】
また、複数の第二切断刃２Ｂと固定カッター４とにより切断された細断屑３Ａは、複数の第二切断刃２Ｂ間に設けた複数の第二収容凹部７に一旦収容されるが、この際、第二収容凹部７の形状を回転軸１の他方の端部側に位置する部位が中間部側に位置する部位より回転軸１の回転方向前側に位置する螺旋形状に形成しているために、回転するスパイラルカッターＡのスクリューコンベア作用によりこの第二収容凹部７に収容した細断屑３Ａが回転軸１の中間部側へと移送されることになる。
【００５４】
即ち、複数の第一切断刃２Ａで切断された細断屑３Ａも、複数の第二切断刃２Ｂで切断された細断屑３Ａも、スパイラルカッターＡの回転軸１の中間部側へと移送されつつ自重と重力作用によって下方の収納容器５へ落下するので、収納容器５の左右方向の中央部に細断屑３Ａが集積していくことになり、尚且つスパイラルカッターＡが装置本体12の前後方向の中間位置に軸支されていることによって収納容器５の前後方向の中央部に細断屑３Ａが集積していくことになる。
【００５５】
そして、中央部に細断屑３Ａが集積する収納容器５では、中央部の全周囲に細断屑３Ａが分散可能なスペースが生じることになるため、集積する細断屑３Ａが自然に崩れて全周囲へと分散され易くなり、この中央部で細断屑３Ａが高く山積みになりにくく排出詰まりも生じにくくなる。
【実施例２】
【００５６】
本発明の具体的な実施例２について図５，図６に基づいて説明する。
【００５７】
本実施例は、前記実施例１とはスパイラルカッターＡの構成が異なる。
【００５８】
具体的には、回転軸１の中間部と、回転軸１の一方の端部付近と、回転軸１の他方の端部付近とに円板状の取付具16を固定し、この各取付具16を利用して回転軸１の中間部と一方の端部付近との間に帯板状であって且つ螺旋状の第一切断刃２Ａ（切断刃２）を架設状態に固定し、回転軸１の中間部と他方の端部付近との間にも、帯板状であって且つ螺旋状の第二切断刃２Ｂ（切断刃２）を架設状態に固定している。
【００５９】
また、回転軸１の中間部より一方の端部側では、回転軸１の軸周り方向に等間隔を置いて六枚の第一切断刃２Ａを並設状態に固定すると共に、この六枚の第一切断刃２Ａは、互いに平行な並設状態に固定して、この複数の第一切断刃２Ａ間に第一切断刃２Ａと同調する螺旋形状の第一収容凹部６が形成される構成としている。
【００６０】
また、回転軸１の中間部より他方の端部側でも、回転軸１の軸周り方向に等間隔を置いて六枚の第二切断刃２Ｂを並設状態に固定すると共に、この六枚の第二切断刃２Ｂは、互いに平行な並設状態に固定して、この複数の第二切断刃２Ｂ間に第二切断刃２Ｂと同調する螺旋形状の第二収容凹部７が形成される構成としている。
【００６１】
また、本実施例では、回転軸１の中間部と一方の端部付近との間の途中部と、回転軸１の中間部と他方の端部付近との間の途中部とに、円板状の補助取付具17を固定して、この補助取付具17で第一切断刃２Ａと第二切断刃２Ｂの途中部を固定している。
【００６２】
即ち、複数の第一切断刃２Ａと、複数の第二切断刃２Ｂとは、夫々の両端部と途中部との三点で回動軸１に対し強固に固定される構成としている。
【００６３】
本実施例のスパイラルカッターＡを用いた横切断装置部11の作動を説明すると、前記実施例１と同様に、第一収容凹部６に収容された細断屑３Ａも、第二収容凹部７に収容された細断屑３Ａも、スクリューコンベア作用により回転軸１の中間部側へと移送されるが、補助取付具17より回転軸１の端側で切断された細断屑３Ａは、この補助取付具17によって回転軸１中間部側への移送が阻止されて下方へ落下し、収納容器５ではこの補助取付具17の下方位置でも細断屑３Ａが集積することになる。
【００６４】
即ち、本実施例によれば、収納容器５の中央部と、その両側位置（補助取付具17の下方位置）との三箇所に細断屑３Ａが分散して集積することになるので、一層細断屑３Ａが集中して山積みになりにくい。
【００６５】
他の構成は、前記実施例１と同様である。
【００６６】
尚、本発明は、実施例１，２に限られるものではなく、各構成要件の具体的構成は適宜設計し得るものである。
【符号の説明】
【００６７】
１  回転軸
２  切断刃
２Ａ  第一切断刃
２Ｂ  第二切断刃
３  被切断物
３Ａ  細断屑
４  固定カッター
５  収納容器
６  第一収容凹部（凹状間隔部）
７  第二収容凹部（凹状間隔部）
Ａ  スパイラルカッター
Ｓ  切断装置
【図１】
2012125725.tif 000003
【図２】
2012125725.tif 000004
【図３】
2012125725.tif 000005
【図４】
2012125725.tif 000006
【図５】
2012125725.tif 000007
【図６】
2012125725.tif 000008
【図７】
2012125725.tif 000009